(57)【要約】  １つまたは複数のネットワーク要素のための構成スキームにおいて、ネットワーク管理エンティティは、動作可能なパラメータ値のセットから少なくとも１つのパラメータ値のセットを決定し、そしてその決定されたセットをネットワーク要素へ送信する。次いで、ネットワーク要素は、受信されたセットからパラメータ値を選択し、そしてネットワーク要素の１つまたは複数の態様を構成するために選択されたパラメータ値を使用する。【選択図】  図２
2011527162.tif 000002
【特許請求の範囲】
【請求項１】
ネットワーク要素においてパラメータ値のセットを受信することと、
前記ネットワーク要素において前記セットからパラメータ値を選択することと、
前記選択されたパラメータ値に基づいて前記ネットワーク要素を構成することと、
を備える構成方法。
【請求項２】
前記ネットワーク要素において運用管理保守エージェントエンティティによって実行される請求項１の方法。
【請求項３】
前記ネットワーク要素は、ｅＮｏｄｅＢを備え、
前記セットは、前記セットを決定した運用管理保守エンティティから受信される、請求項１の方法。
【請求項４】
前記パラメータ値の前記選択は、前記ネットワーク要素に実装される最適化アルゴリズムに基づく、請求項１の方法。
【請求項５】
前記セットは、無線パラメータ値のセットを備える、請求項１に記載の方法。
【請求項６】
前記セットは、パラメータ値の範囲を備える、請求項１の方法。
【請求項７】
前記セットのデフォルトパラメータ値の指示を受信することをさらに備え、前記パラメータ値の前記選択は、
前記セットから適切なパラメータ値を識別する試みの中で最適化アルゴリズムを実行することと、
前記最適化アルゴリズムが、前記セットからの適切なパラメータ値を識別しない場合に、前記選択されたパラメータ値を提供するために前記デフォルトパラメータ値を選択することと、
を備える、請求項１の方法。
【請求項８】
前記セットから別のパラメータ値を識別するために前記最適化アルゴリズムを再実行することと、
前記識別された別のパラメータ値に基づいて前記ネットワーク要素を再構成することと、
をさらに備える請求項７の方法。
【請求項９】
前記セットは、運用管理保守エンティティから受信され、
前記運用管理保守エンティティは、前記セットを決定した少なくとも１つの構成マネージャを備える、請求項１に記載の方法。
【請求項１０】
前記運用管理保守エンティティに対して前記選択されたパラメータ値を報告することをさらに備える請求項９の方法。
【請求項１１】
前記運用管理保守エンティティに対して前記セットが前記ネットワーク要素によって無効と考えられることを報告すること、をさらに備える請求項９に記載の方法。
【請求項１２】
ネットワーク要素装置において、
パラメータ値のセットを受信するように構成された通信コントローラと、
前記セットからパラメータ値を選択するように構成されたパラメータセレクタと、
前記選択されたパラメータ値に基づいて前記ネットワーク要素装置を構成するように構成された構成エンティティと、
を備える、装置。
【請求項１３】
前記ネットワーク要素装置は、ｅＮｏｄｅＢを備え、
前記セットは、前記セットを決定した運用管理保守エンティティから受信される、請求項１２の装置。
【請求項１４】
前記パラメータセレクタは、さらに、最適化アルゴリズムに基づいて前記パラメータ値を選択するように構成されている、請求項１２の装置。
【請求項１５】
前記セットは、無線パラメータ値のセットを備える、請求項１２の装置。
【請求項１６】
前記通信コントローラは、さらに、前記セットのデフォルトパラメータ値の指示を受信するように構成されており、
前記パラメータセレクタは、さらに、前記セットから適切なパラメータ値を識別する試みの中で最適化アルゴリズムを実行するように、そして前記最適化アルゴリズムが、前記セットから適切なパラメータ値を識別しない場合に、前記選択されたパラメータ値を提供するために前記デフォルトパラメータ値を選択するように、構成されている、請求項１２の装置。
【請求項１７】
前記パラメータセレクタは、さらに、前記セットから別のパラメータ値を識別するために前記最適化アルゴリズムを再実行するように構成されており、
前記構成エンティティは、さらに、前記識別された別のパラメータ値に基づいて前記ネットワーク要素を再構成するように構成されている、請求項１６の装置。
【請求項１８】
ネットワーク要素装置において、
パラメータ値のセットを受信するための手段と、
前記セットからパラメータ値を選択するための手段と、
前記選択されたパラメータ値に基づいて前記ネットワーク要素装置を構成するための手段と、
を備える、装置。
【請求項１９】
前記ネットワーク要素装置は、ｅＮｏｄｅＢを備え、
前記セットは、前記セットを決定した運用管理保守エンティティから受信される、請求項１８の装置。
【請求項２０】
前記選択するための手段は、最適化アルゴリズムに基づいて前記パラメータ値を選択するように構成されている、請求項１８の装置。
【請求項２１】
前記セットは、無線パラメータ値のセットを備える、請求項１８の装置。
【請求項２２】
前記受信するための手段は、前記セットのデフォルトパラメータ値の指示を受信するように構成されており、
前記選択するための手段は、前記セットから適切なパラメータ値を識別する試みの中で最適化アルゴリズムを実行するように、そして前記最適化アルゴリズムが、前記セットから適切なパラメータ値を識別しない場合に、前記選択されたパラメータ値を提供するために前記デフォルトパラメータ値を選択するように、構成されている、請求項１８の装置。
【請求項２３】
前記選択するための手段は、前記セットから別のパラメータ値を識別するために前記最適化アルゴリズムを再実行するように構成されており、
前記構成するための手段は、前記識別された別のパラメータ値に基づいて前記ネットワーク要素を再構成するように構成されている、請求項２２の装置。
【請求項２４】
コンピュータに、
ネットワーク要素においてパラメータ値のセットを受信することと、
前記ネットワーク要素において前記セットからパラメータ値を選択することと、
前記選択されたパラメータ値に基づいて前記ネットワーク要素を構成することと
を行わせるためのコードを備えるコンピュータ可読媒体を備えるコンピュータプログラムプロダクト。
【請求項２５】
前記ネットワーク要素は、ｅＮｏｄｅＢを備え、
前記セットは、前記セットを決定した運用管理保守エンティティから受信される、請求項２４のコンピュータプログラムプロダクト。
【請求項２６】
前記コンピュータ可読媒体は、前記コンピュータに、最適化アルゴリズムに基づいて前記パラメータ値を選択することを行わせるためのコードをさらに備える、請求項２４のコンピュータプログラムプロダクト。
【請求項２７】
ネットワーク管理エンティティにおいて、動作可能なパラメータ値のセットから少なくとも１つのパラメータ値のセットを決定することと、
ネットワーク要素が、前記決定されたセットからパラメータ値を選択することを可能にするために、前記決定されたセットを前記ネットワーク要素へ送信することと、
を備える構成方法。
【請求項２８】
前記ネットワーク管理エンティティは、ドメイン管理エンティティを備える、請求項２７の方法。
【請求項２９】
前記ネットワーク管理エンティティは、少なくとも１つのドメイン管理エンティティを管理する、請求項２７の方法。
【請求項３０】
前記少なくとも１つのパラメータ値のセットの前記決定は、前記ネットワーク管理エンティティが、
前記少なくとも１つのパラメータ値のセットについての要求を別のエンティティへ送信することと、
前記別のエンティティから前記少なくとも１つのパラメータ値のセットを受信することと、
を含む、請求項２７の方法。
【請求項３１】
前記ネットワーク管理エンティティは、運用管理保守エンティティを備え、
前記ネットワーク要素は、ｅＮｏｄｅＢを備える、請求項２７の方法。
【請求項３２】
前記決定されたセットは、前記動作可能なパラメータ値のセットの一部分である、請求項２７の方法。
【請求項３３】
前記決定されたセットは、単一のパラメータ値を指定する、請求項２７の方法。
【請求項３４】
前記決定されたセットは、無線パラメータ値のセットを備える、請求項２７の方法。
【請求項３５】
前記決定されたセットは、パラメータ値の範囲を備える、請求項２７の方法。
【請求項３６】
前記決定されたセットのデフォルトパラメータ値を識別することと、
前記デフォルトパラメータ値の指示を前記ネットワーク要素へ送信することと、
をさらに備える請求項２７の方法。
【請求項３７】
前記ネットワーク要素から選択されたパラメータ値の報告を受信すること、をさらに備える請求項２７の方法。
【請求項３８】
前記決定されたセットが、前記ネットワーク要素によって無効と考えられることを示す報告を前記ネットワーク要素から受信することと、
前記動作可能なパラメータ値のセットから少なくとも１つのパラメータ値の別のセットを決定することと、
前記別の決定されたセットを前記ネットワーク要素へ送信することと、
をさらに備える請求項２７の方法。
【請求項３９】
動作可能なパラメータ値のセットから少なくとも１つのパラメータ値のセットを決定するように構成された構成マネージャと、
ネットワーク要素が、前記決定されたセットからパラメータ値を選択することを可能にするために前記決定されたセットを前記ネットワーク要素へ送信するように構成された通信コントローラと、
を備えるネットワーク管理装置。
【請求項４０】
前記ネットワーク管理装置は、運用管理保守エンティティを備え、
前記ネットワーク要素は、ｅＮｏｄｅＢを備える、請求項３９の装置。
【請求項４１】
前記決定されたセットは、前記動作可能なパラメータ値のセットの一部分である、請求項３９の装置。
【請求項４２】
前記決定されたセットは、無線パラメータ値のセットを備える、請求項３９の装置。
【請求項４３】
前記構成マネージャは、さらに、前記決定されたセットのデフォルトパラメータ値を識別するように構成されており、
前記通信コントローラは、さらに、前記デフォルトパラメータ値の指示を前記ネットワーク要素へ送信するように構成されている、請求項３９の装置。
【請求項４４】
動作可能なパラメータ値のセットから少なくとも１つのパラメータ値のセットを決定するための手段と、
ネットワーク要素が、前記決定されたセットからパラメータ値を選択することを可能にするために前記決定されたセットを前記ネットワーク要素へ送信するための手段と、
を備えるネットワーク管理装置。
【請求項４５】
前記ネットワーク管理装置は、運用管理保守エンティティを備え、
前記ネットワーク要素は、ｅＮｏｄｅＢを備える、請求項４４の装置。
【請求項４６】
前記決定されたセットは、前記動作可能なパラメータ値のセットの一部分である、請求項４４の装置。
【請求項４７】
前記決定されたセットは、無線パラメータ値のセットを備える、請求項４４の装置。
【請求項４８】
前記決定するための手段は、前記決定されたセットのデフォルトパラメータ値を識別するように構成されており、
前記送信するための手段は、前記デフォルトパラメータ値の指示を前記ネットワーク要素へ送信するように構成されている、請求項４４の装置。
【請求項４９】
コンピュータに、
ネットワーク管理エンティティにおいて動作可能なパラメータ値のセットから少なくとも１つのパラメータ値のセットを決定することと、
ネットワーク要素が、前記決定されたセットからパラメータ値を選択することを可能にするために前記決定されたセットを前記ネットワーク要素へ送信することと、
を行わせるためのコードを備えるコンピュータ可読媒体を備えるコンピュータプログラムプロダクト。
【請求項５０】
前記ネットワーク管理エンティティは、運用管理保守エンティティを備え、
前記ネットワーク要素は、ｅＮｏｄｅＢを備える、請求項４９のコンピュータプログラムプロダクト。
【請求項５１】
前記決定されたセットは、前記動作可能なパラメータ値のセットの一部分である、請求項４９のコンピュータプログラムプロダクト。
【発明の詳細な説明】
【優先権の主張】
【０００１】
[３５Ｕ．Ｓ．Ｃ．§１１９の下の優先権の主張]
本願は、その開示が、これによりここにおいて参照によって組み込まれている、２００８年７月１日に出願され、そして代理人ドケット番号０８１９６９Ｐ１が割り当てられた、共同所有された米国仮特許出願第６１／０７７，３５４号の利益と優先権とを主張するものである。
【背景】
【０００２】
[分野]
本願は、一般にワイヤレス通信に関し、より詳細には、排他的ではないが、ネットワーク要素(network elements)を構成することに関する。
【０００３】
［序文］
ワイヤレス通信システムは、複数のユーザに対して様々なタイプの通信（例えば、音声、データ、マルチメディアサービスなど）を提供するために広範に展開される。典型的なシステムにおいては、基地局は、これらのエリアを通してローミングするモバイルユニットについてのローカルワイヤレス接続性を提供するために、地理的エリアを通して分散される。基地局は、順に、広域ネットワークの接続性を提供するコアネットワークノードと通信する。さらに、基地局は、ネットワークを管理し、そして構成管理、故障管理および性能管理を含む管理機能を実行する管理インターフェース上でネットワーク要素（例えば、基地局）と通信する運用管理保守エンティティ(operation, administration and maintenance entity)（運用保守エンティティ(operation and maintenance entity)、または運用統治管理保守エンティティ(operation, administration, management and maintenance entity)とも称される；以下ではＯＡＭと称される）を備えることができるネットワークノードと通信する。
【０００４】
高レートおよびマルチメディアのデータサービスを求める要求が、急速に高まるにつれて、自己構成機能(self-configuration capability)を含む高性能を有する高効率および堅牢な通信システムを実装する課題が存在している。例えば、基地局などのネットワーク要素は、１つまたは複数の無線パラメータを自動的に最適化するとしてもよい。したがって、これらおよび他のネットワーク要素を構成するための改善された技法に対する必要性が、存在している。
【０００５】
従来のモバイル電話ネットワーク基地局を補完するために、小さなカバレージの基地局が、モバイルユニットに対してより堅牢な屋内ワイヤレスカバレージを提供するために、展開される（ユーザの家にインストールされる）ことができる。そのような小さなカバレージの基地局は、一般に、アクセスポイント基地局、ホームノードＢ、またはフェムトセルとして知られる。典型的には、そのような小さなカバレージの基地局は、ＤＳＬルータまたはケーブルモデムを経由してインターネットおよびモバイルオペレータのネットワークに接続される。実際には、これらの小さなカバレージの基地局は、アドホック様式で、および比較的大きな数で展開される。その結果として、そのような基地局を構成するための改善された技法についての必要性が存在する。
【概要】
【０００６】
本開示の態様の例についての概要が続く。ここでの用語の態様に対する任意の基準は、本開示の１つまたは複数の態様について参照することができることを理解すべきである。
【０００７】
本開示は、ある態様においては、ネットワーク要素を構成するためのスキームに関する。そのようなネットワーク要素は、例えば、アクセスポイント、アクセス端末、またはネットワークの中で展開される何らかの他のエンティティを備えることができる。
【０００８】
いくつかの態様においては、ネットワーク管理エンティティは、動作可能なパラメータ値のセットから少なくとも１つのパラメータ値のセットを決定し、そしてその決定されたセットをネットワーク要素へと送信する。次いで、ネットワーク要素は、受信されたセットからパラメータ値を選択し、そしてネットワーク要素の何らかの態様を構成するために選択されたパラメータ値を使用することができる。
【０００９】
さらなる一例として、自己組織化ネットワークにおいて、ある複数のパラメータは、複数のアクセスポイント（例えば、複数のｅＮｏｄｅＢ）によって構成されるとしてもよい。コアネットワークが、アクセスポイントによって選択されるパラメータ値上で何らかの制御を行うことを可能にするために、ネットワーク管理エンティティは、そのようなパラメータについての値の有効なセットを構成するとしてもよい。次いで、ネットワーク要素は、このセットから（例えば、そのセットから最適なパラメータを選択するための適切なアルゴリズムを使用して）値を選択することにより、それ自体を構成するとしてもよい。
【図面の簡単な説明】
【００１０】
本開示のこれらおよび他の例態様は、以下に続く詳細な説明および添付の特許請求の範囲の中で、および添付の図面の中で説明されるであろう。
【図１】図１は、ネットワーク要素が、ネットワークノードから受信されるパラメータ値のセットに基づいて構成される場合の通信システムのいくつかの例の態様の簡略化されたブロック図である。
【図２】図２は、ネットワークノードから受信されるパラメータ値のセットに基づいてネットワーク要素を構成するために実行されることができるオペレーションのいくつかの例の態様のフローチャートである。
【図３】図３は、ネットワーク要素を構成するために実行されることができるオペレーションのいくつかの例の態様のフローチャートである。
【図４】図４は、通信ノードにおいて使用されることができるコンポーネントのいくつかの例の態様の簡略化されたブロック図である。
【図５】図５は、ワイヤレス通信システムの簡略化された図である。
【図６】図６は、フェムトノードを含むワイヤレス通信システムの簡略化された図である。
【図７】図７は、ワイヤレス通信のためのカバレージエリアを例示する簡略化された図である。
【図８】図８は、通信コンポーネントのいくつかの例の態様の簡略化されたブロック図である。
【図９】図９は、ここで教示されるように、ネットワーク要素構成オペレーションを実行するように構成された装置のいくつかの例の態様の簡略化されたブロック図である。
【図１０】図１０は、ここで教示されるように、ネットワーク要素構成オペレーションを実行するように構成された装置のいくつかの例の態様の簡略化されたブロック図である。
【００１１】
一般的な慣行に従って、図面の中に示される様々な特徴は、縮尺して描かれていない場合がある。したがって、様々な特徴についての寸法は、明確にするために、任意に拡大され、縮小されている場合がある。さらに、図面のうちのいくつかは、明確にするために簡略化されている場合がある。したがって、図面は、与えられた装置（例えば、デバイス）または方法のコンポーネントの必ずしもすべてを図示していない場合がある。最後に、同様な参照番号は、本明細書と図面との全体を通して同様な特徴を示すために使用されることができる。
【詳細な説明】
【００１２】
本開示の様々な態様が、以下で説明される。ここにおける教示は、多種多様な形態で実施されることができることと、ここで開示される任意の特定の構造、機能、またはそれらの両方は単に代表的なものにすぎないこととは、明らかなはずである。ここにおける教示に基づいて、当業者は、ここにおいて開示される一態様が、他の任意の態様とは独立して実装されることができることと、これらの態様のうちの２以上が、様々なやり方で組み合わされることができることと、を理解すべきである。例えば、ここで説明される任意の数の態様を使用して、装置が実装されるとしてもよく、あるいは方法が実行されるとしてもよい。さらに、ここにおいて説明される１つまたは複数の態様に加えて、あるいはそれらの態様以外の、他の構造、機能、または構造および機能を使用して、そのような装置が実装されるとしてもよく、あるいはそのような方法が実行されるとしてもよい。さらに、一態様は、請求項の少なくとも１つの要素を備えるとしてもよい。
【００１３】
図１は、一例の通信システム１００（例えば、通信ネットワークの一部分）のいくつかのノードを例示する。例証の目的のために、本開示の様々な態様は、互いに通信する１つまたは複数のネットワーク管理エンティティ（例えば、ＯＡＭなどのネットワークノード）およびネットワーク要素（例えば、アクセスポイントおよびアクセス端末）との場合について説明されることになる。しかしながら、ここにおける教示は、他の専門用語を使用して言及される他のタイプの装置、または他の類似した装置に対して適用可能とすることができることを理解すべきである。例えば、様々な実装においては、アクセスポイントは、基地局またはｅＮｏｄｅＢとして称され、あるいは実装されるとしてもよく、アクセス端末は、ユーザ装置またはモバイルとして称され、あるいは実装されるとしてもよいなどである。
【００１４】
システム１００におけるアクセスポイントネットワーク要素は、内部にインストールされることができ、あるいは関連する地理的エリアを通してローミングすることができる１つまたは複数のアクセス端末ネットワーク要素に対して１つまたは複数のサービス（例えば、ネットワーク接続性）を提供することができる。図１の例においては、ある時点において、ネットワーク要素１０２は、ネットワークエンティティ１０４によってサーブされることができる。ネットワーク要素１０４は、広域ネットワークの接続性を容易にするために、順番に、１つまたは複数のネットワーク管理エンティティ（便宜上、ネットワーク管理エンティティ１０６によって表される）と通信することができる。ネットワーク管理エンティティは、例えば、１つまたは複数のコアネットワークエンティティ（例えば、ＯＡＭ機能を提供するネットワークノード、モビリティ管理エンティティ、または何らかの他の適切なネットワークエンティティ）のように、様々な形態を取ることができる。
【００１５】
ここにおける教示に従って、ネットワーク要素１０４は、それが、オペレーション中にそれが使用する１つまたは複数のパラメータ値を自律的に選択することができるという点で、自動構成可能である。さらに、ネットワークオペレータが、ネットワーク要素１０４によって選択されるパラメータ値上で制御のレベルを維持することを可能にするために、ネットワーク管理エンティティ１０６は、使用可能なパラメータ値のセットのうちのどのパラメータ値が、ネットワーク要素１０４によって使用されることができるかを指定することができる。このネットワーク要素構成スキームは、他のタイプのネットワーク要素（例えば、ネットワーク要素１０２）に対して適用可能とすることができることを理解すべきである。
【００１６】
システム１００のオペレーションの例が、次に、図２のフローチャートに関連してより詳細に論じられることになる。便宜上、図２のオペレーション（またはここにおいて論じられ、または教示される他の任意のオペレーション）は、特定のコンポーネント（例えば、システム１００の、あるいは図４に示されるようなコンポーネント）によって実行されているものとして説明されることができる。しかしながら、これらのオペレーションは、他のタイプのコンポーネントによって実行されることができ、そして異なる数のコンポーネントを使用して実行されることができることを理解すべきである。ここにおいて説明されるオペレーションのうちの１つまたは複数は、与えられた実装において使用されなくてもよいことも理解すべきである。
【００１７】
図２のブロック２０２によって表されるように、ネットワーク管理エンティティ１０６は、動作可能なパラメータ値のセット１１０から少なくとも１つのパラメータ値を備えるセット１０８を決定する。上記で述べられるように、ネットワーク管理エンティティ１０６は、ネットワークレベルにおいてＯＡＭ機能を実行することができる。そのようなＯＡＭ機能は、例えば、１つまたは複数の構成管理、故障管理、性能管理、ソフトウェア管理、システム管理、在庫管理、または加入管理を含むことができる。ここで特に興味深いのは、構成管理機能（例えば、これは、ここにおいて教示されるようにパラメータ値のセットを構成することができる）と、故障管理機能（例えば、これは、パラメータ値のセットが無効であることを示す通知を受信し、そして処理することができる）とである。図１の例においては、これらのオペレーションは、構成マネージャ１１２によって表されるように１つまたは複数の構成マネージャによって実行されることができる。
【００１８】
動作可能なパラメータ値のセット１１０は、ネットワーク要素１０４の様々な動作態様に関連していることができる。例えば、セット１１０は、ネットワーク要素１０４によって使用される無線パラメータ、移動性パラメータ、パワー制御パラメータ、または他の適切な任意のパラメータに関連していることができる。
【００１９】
いくつかの態様においては、セット１１０は、与えられたネットワークにおいてネットワーク要素による使用のために使用可能であるパラメータ値を指定することができる。いくつかの実装においては、セット１１０は、通信規格により（例えば、ＬＴＥなどの中で）定義されることができる。一例として、ネットワーク要素についての最大送信パワーは、１０ｍＷと１０Ｗとの間にあるように指定されることができる。別の例として、システムの中のアクセスポイントに割り当てられるために使用可能であるノード識別子（例えば、物理セル識別子）の数は、５０４に制限されることができる。
【００２０】
いくつかの状況においては、ネットワークオペレータは、ネットワーク要素によって選択されることができるパラメータ値を制限することにより、ある程度まで自動構成可能ネットワーク要素のオペレーションを制御したいと望むことができる。すなわち、ネットワーク要素にある許容範囲（セット１１０）の中の任意の値を選択するようにさせるのではなく、ネットワークは、ネットワーク要素のうちの１つまたは複数により（例えば、恒久的に、またはある種の条件下で、あるいはある種の時刻に）選択されることができる範囲を制限することを選択することができる。制約されたセットを提供する決定は、例えば、コアネットワークにおいて知られているネットワーク、ネットワーク（例えば、オペレータ）ポリシー、または何らかの他の要因（単数または複数）に関する情報に基づいたものとすることができる。
【００２１】
セット１０８は、様々なやり方で定義されることができる。いくつかの場合においては、セット１０８は、セット１１０の一部分を備えることができる。いくつかの場合においては、セット１０８は、セット１１０に等しくすることができる。
【００２２】
いくつかの場合においては、セット１０８は、列挙された値または範囲のセット（例えば、必ずしも連続値であるとは限らない）を備えることができる。これらの場合においては、ネットワーク要素１０４は、列挙された値または範囲の指定されたセットからパラメータについての任意の値を選択する柔軟性を有する。例えば、パラメータは、セット１１０についてのセット｛値１，値２，値３，...値９｝の中の任意の値を取ることが許容されることができる。次いで、ネットワーク管理エンティティ１０６は、セット１０８を提供するために、このパラメータをセット｛値３，値４，値５｝からの任意の値に構成することができる。
【００２３】
パラメータが、連続する範囲の中の値を取ることができる場合には、ネットワーク管理エンティティ１０６は、値の範囲としてセット１０８を指定することができる。例えば、そのようなセットは、範囲の中のすべての値、範囲の始まり（例えば、最小範囲の値）、範囲の終わり（例えば、最大範囲の値）、または範囲の幅、のうちの１つまたは複数によって指定されることができる。これらの場合においては、ネットワーク要素１０４は、指定された範囲内のパラメータについて任意の値を選択する柔軟性を有する。
【００２４】
いくつかの場合には、セット１０８は、単一の値を備えることができる。例えば、１つの要素を有するセットが、指定されることができる。代わりに、パラメータの特性に応じて、パラメータの範囲は、０の幅（例えば、範囲の最小値は、範囲の最大値に等しく設定される）で指定されることもできる。これらの場合には、ネットワーク管理エンティティ１０６は、ネットワーク要素１０４が選択することになる正確な値を指定することができる。
【００２５】
いくつかの実装おいては、ネットワーク管理エンティティ１０６は、セット１０８を決定するために、１つまたは複数の他のエンティティ（便宜上、他のエンティティ１２０として図１の中で表される）と協力することができる。例えば、パラメータ値のセットを生成するために、ネットワーク管理エンティティ１０６は、１つまたは複数の外部エンティティ、アルゴリズム、ツール、またはアプリケーションに従事することができる。そのようなエンティティの特定の例は、商用ネットワーク計画ツールを含み、この商用ネットワーク計画ツールは、パラメータ計画構成モジュール(parameter planning and configuration modules)を含むことができる。この場合には、ネットワーク管理エンティティ１０６は、適切な入力情報（例えば、セット１１０）を含む要求を他のエンティティ１２０へと送信することができ、そしてセット１０８を逆に受信する。次いで、ネットワーク管理エンティティ１０６は、下記で論じられるように、ネットワーク要素１０４の中のセット１０８を構成することができる。
【００２６】
ブロック２０４によって表されるように、ネットワーク管理エンティティ１０６（例えば、構成マネージャ１１２）は、セット１０８から１つまたは複数のデフォルトパラメータ値を識別することができる。いくつかの場合には、デフォルトパラメータ値は、ネットワーク要素がパラメータ値を選択しない場合に、ネットワーク要素が、使用することができる初期の、または好ましいパラメータ値を備える。いくつかの場合には、よりよいパラメータ情報が、ネットワーク要素１０４に対して使用可能でない場合（例えば、ネットワーク要素によって実行される最適化アルゴリズムが、最適なパラメータ値を識別しない場合）に、そのようなデフォルトパラメータは、使用されることができる。いくつかの場合には、ネットワーク要素１０４は、初期パラメータ値を使用してオペレーションを開始し、そして次いでローカルアルゴリズムによって後で指定される場合に代替値へと（セット１０８から）移動することができる。
【００２７】
デフォルト値の特定の一例として、セット１０８は、有効な動作チャネル（例えば、チャネル周波数）のリストを備えることができる。この場合には、ネットワーク管理エンティティ１０６は、ネットワーク管理エンティティ１０６において知られている何らかの判断基準（単数または複数）（例えば、他のチャネル上の干渉）に基づいてこれらのチャネルのうちの１つを好ましいチャネルとして選択することができる。ここで、ネットワーク管理エンティティ１０６によって使用される判断基準（単数または複数）は、静的なもの（例えば、あらかじめ構成された判断基準）、あるいは動的なもの（例えば、ネットワーク管理エンティティ１０６によって検出されるような現在のネットワーク状態に基づいた判断基準）とすることができる。
【００２８】
ブロック２０６によって表されるように、ネットワーク管理エンティティ１０６は、少なくとも１つのパラメータ値の決定されたセット１０８をネットワーク要素１０４へと送信する（例えば、セットのうちの１つまたは複数の値が、導き出されることができる１つまたは複数の指示を送信する）。１つまたは複数のネットワーク要素は、１つまたは複数の決定されたセットの使用を通して構成されることができることを理解すべきである。例えば、いくつかの場合には、ネットワーク管理エンティティ１０６は、同じ決定されたセットを複数のネットワーク要素へと送信することができる。いくつかの場合には、ネットワーク管理エンティティ１０６は、異なる決定されたセットを異なるネットワーク要素へと送信することができる。
【００２９】
さらに、ここにおいて教示されるように決定されたセットの使用を通してそのネットワークの中でこれらおよび／または他のネットワーク要素を構成する他のネットワーク管理エンティティが、与えられたネットワークの中に存在することができる。例えば、異なるネットワーク管理エンティティは、異なるネットワークドメイン（例えば、ドメイン当たりに１つのエンティティ）の中でＯＡＭ機能についての責任を負うことができる。ここで、ネットワークドメインは、例えば、地理的領域、同じベンダーによって製造されるネットワーク要素のセット、または同じ無線アクセス技術を使用するネットワーク要素のセット（例えば、ＬＴＥドメイン、ＵＭＴＳドメインなど）を表すことができる。それ故に、いくつかのインプリメンテーションにおいては、ネットワーク管理エンティティは、ドメイン管理レイヤエンティティを備えることができる。さらに、いくつかの実装において、ネットワーク管理エンティティは、１つまたは複数のドメイン管理レイヤエンティティを管理することができる。
【００３０】
ネットワーク管理エンティティ１０６は、決定されたセット１０８を送信することと一緒に１つまたは複数のデフォルトパラメータ値をネットワーク要素へと送信することもできる。ここで、デフォルトパラメータ値は、決定されたセット１０８と同じメッセージ、または異なるメッセージの中で送信されることができる。
【００３１】
ブロック２０８によって表されるように、ネットワーク要素１０４は、適用可能な場合に、決定されたセットと、１つまたは複数のデフォルト値とを受信する（例えば、決定されたパラメータ値の１つまたは複数の指示を受信する）。図１に示されるように、ネットワーク要素１０４は、受信されたパラメータのセット１１４のコピーを（例えば、データメモリに）保持することができる。
【００３２】
ブロック２１０によって表されるように、ネットワークエンティティ１０４（例えば、パラメータセレクタ１１６）は、構成オペレーションにおける使用のためにセット１１４からパラメータ値を選択する。パラメータ値は、与えられたアプリケーションの要件に応じて様々なやり方でパラメータ値のセット１１４から選択されることができる。典型的な場合には、ネットワークエンティティ１０４は、セット１１４から適切なパラメータを識別しようと試みる最適化アルゴリズムを実行する。ここで、様々な判断基準が、構成されているパラメータと、構成されているネットワーク要素と、展開されたネットワーク（例えば、ネットワークの構成および状態）とに応じて最適化アルゴリズムによって使用されることができる。代わりに、いくつかの場合には、パラメータ値は、ラウンドロビン様式でセット１１４から選択されることができる。他の場合には、パラメータ値は、ランダムにセット１１４から選択されることができる。
【００３３】
ブロック２１２によって表されるように、ネットワークエンティティ１０４は、選択されたパラメータ値に基づいて構成される。例えば、構成エンティティ１１８（例えば、構成マネージャを備える）は、ネットワークエンティティ１０４の１つまたは複数のコンポーネントによって使用されるパラメータ値を（例えば、データメモリに書き込むことによって）初期化し、または変更することができる。特定の一例として、ネットワークエンティティ１０４のワイヤレストランシーバは、無線パラメータ（例えば、最大パワー、ノード識別子など）を用いて構成されることができる。
【００３４】
いくつかの場合には、この構成と一緒に、ネットワーク要素１０４は、選択されたパラメータ値と、ネットワーク要素１０４が、そのパラメータ値で構成されていることとを示す報告をネットワーク管理エンティティ１０６へと返信することができる。
【００３５】
ここにおける教示は、様々なタイプのパラメータに対して適用可能である。説明の目的のために、如何にしてパラメータ値が選択されることができるかについてのいくつかの例が続いている。
【００３６】
アクセスポイントなどのネットワーク要素（例えば、特定のセルに関連する）についての最大送信パワーが、その一例であり、そこでは、ＯＡＭなどのネットワーク管理エンティティが、パラメータ値のセットを構成することは、有利とすることができる。このパワーパラメータの値は、例えば、アクセスポイントの範囲と、同様にアクセスポイントがその近隣に与える可能性がある干渉とを決定する。したがって、このパラメータは、局所最適化のために有利に適したものとすることができる。
【００３７】
ここで、アクセスポイントに許容範囲におけるどのような最大送信パワーを選択するようにさせるのではなくて、ネットワークは、ある種のアクセスポイントを制約することを選択することができる。特定の一例として、ネットワークオペレータは、密集した都市エリアに設置されるマクロセルが、５Ｗまでの最大送信パワーを割り当てられるべきであるが、田舎エリアの環境に設置されるマクロセルが、適用可能な規格によって許容される（例えば、１０Ｗまでの）最大送信パワーまで送信することが許容されるべきであることを決定することができる。逆に、フェムトセルは、１００ｍＷまでの最大送信パワーに制約されることができる。
【００３８】
ＯＡＭから最大送信パワーのパラメータ値のセットの指示を受信すると、アクセスポイントは、そのセットから特定の値を選択することができる。例えば、この決定は、アクセスポイントが、隣接するネットワーク要素（例えば、アクセスポイント）から受信するフィードバックに基づいたものとすることができる。
【００３９】
アクセスポイントなどのネットワーク要素についての物理セル識別子(physical cell identifier)（「ＰＣＩＤ」）は、別の例であり、ここで、ＯＡＭなどのネットワーク管理エンティティが、パラメータ値のセットを構成することは、有利とすることができる。アクセスポイント（例えば、セルの）のＰＣＩＤは、アクセスポイントがブロードキャストするパイロットシーケンスを決定するために使用される。このパイロットシーケンスは、アクセスポイントにアクセスすることができるのに十分な情報を収集するためにアクセス端末によって使用される。それ故に、２つの隣接するアクセスポイントが、同じＰＣＩＤをブロードキャストすること（この状況は、「ＰＣＩＤ衝突」と称されることができる）がないことが、重要であり、そうでなければ、アクセス端末は、ＰＣＩＤを復号することができないであろう。計画されたマクロネットワークにおいては、これは、注意深い計画を通して達成される。しかしながら、アドホック様式で展開される多数の小さなアクセスポイント（例えば、フェムトノード、ピコノード）を有するネットワークにおいては、もっと実用的な展開スキームは、それらのＰＣＩＤを自己構成するアクセスポイントを有することである。
【００４０】
ここで、ＰＣＩＤ空間の一部分が、これらのより小さなセル（フェムトセルまたはピコセル）による使用のために予約されることが、望ましいものとすることができる。例えば、５０４個のうちの５０個の使用可能なＰＣＩＤが、より小さなセルのために予約されることができる。このようにして、計画されたマクロセルと、計画外のより小さなセルとの間のＰＣＩＤ衝突が、回避されることができる。それに応じて、ＯＡＭは、より小さなセルに関連するアクセスポイントのためにこのより小さなセットのＰＣＩＤを構成することができる。次いで、これらのアクセスポイントにおいて展開されるＰＣＩＤ選択アルゴリズムに基づいて、アクセスポイントは、このより小さなセットからＰＣＩＤのうちの１つを選択することができる。したがって、ＰＣＩＤ空間は、サブセット（例えば、範囲）がネットワーク管理エンティティによって構成される場合のパラメータの別の例であり、そして正確な値は、分散された局所化アルゴリズムに従ってネットワーク要素によって選択される。
【００４１】
アクセスポイントなどのネットワーク要素についてのハンドオーバパラメータは、ＯＡＭなどのネットワーク管理エンティティが、パラメータ値のセットを構成することが有利とすることができるパラメータの別の例である。例えば、アクセス端末は、サーブするアクセスポイント（第１のネットワーク要素）からの信号と、隣接するアクセスポイント（第２のネットワーク要素）からの信号との受信信号強度を測定することができる。タイマは、隣接するアクセスポイントからの信号が、定義されたオフセットだけ、サーブするアクセスポイントからの信号を超過するときに、開始されることができる。次いで、アクセス端末は、タイマが満了するときにイベントを（例えば、測定報告を経由して）報告することができる。ここで、オフセットと、タイムアウト期間とについてのパラメータは、サーブするアクセスポイントによってアクセス端末に対して指定される。次には、これらのパラメータは、ＯＡＭによってサーブするアクセスポイントにおいて構成されることができる。特定の例として、自己最適化ネットワークにおいて、ＯＡＭは、これらのパラメータについてのパラメータ値のセットを構成することができ、ここでオフセットは、３ｄＢの推奨値を用いて２ｄＢから４ｄＢへと分布することができ、そしてここでタイムアウト期間は、３２０ｍｓの推奨値を使用して列挙された値｛３２０ｍｓ，６４０ｍｓ｝のうちの１つとなる。ここで、サーブするアクセスポイントは、初めに推奨値を使用することができる。しかしながら、そのアクセス端末のハンドオーバ性能に応じて、サーブするアクセスポイントは、局所的な決定を行い、そして異なるパラメータ値を（パラメータ値のセットからの値を使用して）選択することができる。
【００４２】
ここにおける教示は、異なる実装においては異なるやり方で実装されることができる。例えば、図３は、パラメータ値のセットが有効であるかどうかを決定することと（ブロック３０４〜３１０）、ネットワーク要素を構成することに関連して実行されることができるデフォルトパラメータ値を使用すべきかどうかを決定することと（ブロック３１２〜３２０）、に関連したオペレーションを説明している。便宜上、これらのオペレーションは、同じフローチャートの中で示される。しかしながら、実際には、これらのオペレーションのうちの一方または、両方のいずれかは、与えられた実装において使用されなくてもよい。
【００４３】
ブロック３０２によって表されるように、ネットワーク要素は、ブロック２０８において上記で論じられるように、パラメータ値のセットと、デフォルトパラメータ値と、を受信する。
【００４４】
ブロック３０４によって表されるように、ネットワーク要素１０４（例えば、パラメータセレクタ１１６）は、受信されたパラメータ値のセットが有効であるかどうかを決定する。例えば、ネットワーク要素１０４（例えば、ワイヤレスレシーバ）によって決定されるような現在のネットワーク状態に基づいて、ネットワーク要素１０４は、受信されたパラメータ値のセットによって指定されるパラメータ値（例えば、ＰＣＩＤ、送信パワー、チャネルなど）のうちのどれかを使用することが、可能でない、または望ましくないことを決定することができる。
【００４５】
ブロック３０６および３０８によって表されるように、受信されたパラメータ値のセットが、無効であると見なされる場合には、ネットワーク要素１０４は、ネットワーク要素１０４がパラメータ値のセットが無効であると考えることを示す指示を含む報告をネットワーク管理エンティティ１０６へと送信する。この報告を受信すると、ネットワーク管理エンティティ１０６は、別のセット１０８を決定することを選択し、そしてこの新しいセットをネットワーク要素へと送信することができる（ブロック３１０）。次いで、動作フローは、ブロック３０２へと進んで戻ることができる。
【００４６】
受信されたパラメータ値のセットが、ブロック３０６において有効と見なされる場合には、ネットワーク要素１０４は、構成オペレーションを進めることができる。
【００４７】
ブロック３１２によって表されるように、いくつかの場合には、ネットワーク要素１０４は、上記で論じられるように、受信されたパラメータ値のセット１１４から適切なパラメータ値を識別するために、最適化アルゴリズムを実行することができる。ブロック３１４および３１６によって表されるように、適切な値が識別される場合に、ネットワーク要素１０４は、ブロック２１２において論じられるように、そのパラメータ値を使用して構成されることができる。
【００４８】
他方、適切な値が、最適化アルゴリズムによって識別されない場合、ネットワーク要素１０４（例えば、パラメータセレクタ１１６）は、デフォルトパラメータ値（ブロック３１８）を使用して構成されることができる。したがって、この場合には、そのセットからのパラメータ値の選択は、デフォルトパラメータを選択することを備える。
【００４９】
ブロック３２０および３２２によって表されるように、最適化アルゴリズムは、一度（ブロック３２２）、あるいは反復ベースで（ブロック３１２へと継続して戻り）実行されることができる。後者の場合の例として、アルゴリズムは、定期的に実行され、あるいは何らかのイベント（例えば、受信されたＲＦ信号、または信号を送信する必要性）によってトリガされることができる。このようにして、ネットワーク要素１０４の構成パラメータは、最適な性能を達成する試みの中で、時間経過を超えてアップデートされることができる。
【００５０】
いくつかの実装においては、図２のブロック２０８〜２１２と、図３のブロックとの機能は、ネットワーク要素の中で実装されるサブネットワークレベルのＯＡＭエージェントエンティティによって実行されることができる。例えば、マクロｅＮｏｄｅＢにおいては、そのようなエンティティは、ＩＲＰエージェントとして実装されることができるが、ホームｅＮｏｄｅＢにおいては、そのようなエンティティは、ＴＲ−０６９エージェントとして実装されることができる。したがって、この場合には、サブネットワークＯＡＭの構成管理エンティティは、ネットワーク管理エンティティ１０６からパラメータ値のセットを受信し、そしてネットワーク要素の中でそのセットを構成することができる。さらに、サブネットワークＯＡＭの故障管理エンティティは、受信されたパラメータのセットが、無効である場合に、ネットワーク管理エンティティ１０６へと通知（例えば、警告）を送信することができる。
【００５１】
図４は、ここにおいて教示されるようなネットワーク要素構成オペレーションを実行するために、ネットワーク管理エンティティ１０６及びネットワーク要素１０４などのノードに組み込まれることができるいくつかの例のコンポーネントを示している。説明されたコンポーネントはまた、通信システムにおける他のノードに組み込まれることもできる。例えば、システムの中の他のノード（例えば、ネットワーク要素１０２）は、類似した機能を提供する、ネットワーク要素１０４について説明されるこれらのコンポーネントに類似したコンポーネントを含むことができる。与えられたノードは、説明されたコンポーネントのうちの１つまたは複数を含むことができる。例えば、ネットワーク要素は、ネットワーク要素が、複数の周波数上で動作し、かつ／または異なる技術を経由して通信することを可能にする複数のトランシーバコンポーネントを含むことができる。
【００５２】
図４に示されるように、ネットワーク管理エンティティ１０６と、ネットワーク要素１０４とは、他のノードと通信するために、それぞれトランシーバ４０２と、４０４とを含むことができる。トランシーバ４０２は、信号（例えば、構成メッセージ）を送信するためのトランスミッタ４０６と、信号を受信するためのレシーバ４０８と、を含む。同様に、トランシーバ４０４は、信号（例えば、報告メッセージ）を送信するためのトランスミッタ４１０と、信号を受信するためのレシーバ４１２と、を含む。図４のノードの間の接続性に応じて、トランシーバ４０２および／またはトランシーバ４０４は、異なる通信技術（例えば、有線、またはワイヤレス）をサポートすることができる。
【００５３】
ネットワーク管理エンティティ１０６と、ネットワーク要素１０４とはまた、ここにおいて教示されるようなネットワーク要素構成オペレーションに関連して使用されることができる他のコンポーネントを含んでいる。例えば、ネットワーク管理エンティティ１０６と、ネットワーク要素１０４とは、他のノードとの通信（例えば、メッセージ／指示を送信することと、受信することと）を管理するための、そしてここにおいて教示されるような他の関連した機能を提供するための、それぞれ通信コントローラ４１４、および４１６を含むことができる。特定の一例として、通信コントローラ４１４は、定義されたセット１０８（およびオプショナルに１つまたは複数のデフォルトパラメータ値）をネットワーク要素１０４へと送信する１つまたは複数のメッセージを生成することができる。逆に、通信コントローラ４１６は、これらのメッセージを受信し、そして処理することができる。同様に、通信コントローラ４１６は、メッセージ（例えば、報告メッセージ）を生成し、そしてこれらのメッセージをネットワーク管理エンティティ１０６へと送信することができ、ここで、それらは、通信コントローラ４１４によって受信され、そして処理される。
【００５４】
また、やはり上記で論じられるように、ノード１０４および１０６は、ここにおいて説明される機能のうちの１つまたは複数を実行するＯＡＭエンティティを備えることもできる。例えば、ネットワーク管理エンティティ１０６は、ＯＡＭマネージャエンティティ４１８を備えることができ、そしてネットワーク要素１０４は、ＯＡＭエージェントエンティティ４２０を備えることができる。
【００５５】
いくつかの態様においては、ここにおける教示は、マクロスケールカバレージ（例えば、一般的にマクロセルネットワーク、またはＷＡＮと称される３Ｇネットワークなどの広域セルラネットワーク）と、より小さなスケールカバレージ（例えば、一般的にＬＡＮと称される住宅ベース、または建物ベースのネットワーク環境）とを含む自己組織化ネットワークまたは他のタイプのネットワークの中で使用されることができる。アクセス端末(access terminal)（「ＡＴ」）がそのようなネットワークを通して移動するときに、アクセス端末は、マクロカバレージを提供するアクセスポイントによってある種のロケーションにおいてサーブされることができるが、アクセス端末は、より小さなスケールカバレージを提供するアクセスポイントによって他のロケーションにおいてサーブされることができる。いくつかの態様においては、より小さなカバレージのノードは、付加される容量増大、建物内カバレージ、および異なるサービス（例えば、より堅牢なユーザ経験のための）を提供するために使用されることができる。さらに、ネットワークの中に多数のこれらのより小さなカバレージのノードが存在することができるので、これらのノードを少なくともある程度まで自己組織化するようにさせることが有利であると立証することができる。
【００５６】
ここにおける説明において、比較的大きなエリア上でのカバレージを提供するノード（例えば、アクセスポイント）は、マクロノードと称されることができるが、比較的小さなエリア（例えば、住居）上でのカバレージを提供するノードは、フェムトノードと称されることができる。ここにおける教示は、他のタイプのカバレージエリアに関連するノードに提供可能とすることができることを理解すべきである。例えば、ピコノードは、マクロエリアよりも小さく、そしてフェムトエリアよりも大きいエリア上でのカバレージ（例えば、商用建物内のカバレージ）を提供することができる。様々なアプリケーションにおいては、他の専門用語は、マクロノード、フェムトノード、または他のアクセスポイントタイプのノードについて言及するために使用されることができる。例えば、マクロノードは、アクセスノード、基地局、アクセスポイント、ｅＮｏｄｅＢ、マクロセルなどとして構成され、あるいは称されることができる。また、フェムトノードは、ホームノードＢ、ホームｅＮｏｄｅＢ、アクセスポイント基地局、フェムトセルなどとして構成され、あるいは称されることもできる。いくつかの実装において、ノードは、１つまたは複数のセルあるいはセクタに関連づけられ（例えば、分割され）ることができる。マクロノード、フェムトノード、またはピコノードに関連するセルあるいはセクタは、それぞれマクロセル、フェムトセル、またはピコセルと称されることができる。
【００５７】
図５は、いくつかのユーザをサポートするように構成されたワイヤレス通信システム５００を示しており、このシステムの中において、ここにおける教示は、実装されることができる。システム５００は、各セルが、対応するアクセスポイント５０４（例えば、アクセスポイント５０４Ａ〜５０４Ｇ）によってサービスされて、例えば、マクロセル５０２Ａ〜５０２Ｇなど、複数のセル５０２についての通信を提供する。図５に示されるように、アクセス端末５０６（例えば、アクセス端末５０６Ａ〜５０６Ｌ）は、時間経過を超えてシステム全体を通して様々なロケーションに分散されることができる。各アクセス端末５０６は、例えば、アクセス端末５０６がアクティブであるかどうかと、それがソフトハンドオフの形であるかどうかとに応じて、与えられた瞬間に順方向リンク(forward link)（「ＦＬ」）および／または逆方向リンク(reverse link)（「ＲＬ」）の上で１つまたは複数のアクセスポイント５０４と通信することができる。ワイヤレス通信システム５００は、大きな地理的領域上でサービスを提供することができる。例えば、マクロセル５０２Ａ〜５０２Ｇは、近隣における数ブロック、または田舎の環境における数マイルをカバーすることができる。
【００５８】
図６は、例示の通信システム６００を示しており、ここで、１つまたは複数のフェムトノードが、ネットワーク環境内に展開される。特に、システム６００は、比較的小さなスケールのネットワーク環境に（例えば１つまたは複数のユーザの住居６３０の中に）設置される複数のフェムトノード６１０（例えば、フェムトノード６１０Ａおよび６１０Ｂ）を含んでいる。各フェムトノード６１０は、ＤＳＬルータ、ケーブルモデム、ワイヤレスリンク、または他の接続手段（図示されず）を経由して広域ネットワーク６４０（例えば、インターネット）とモバイルオペレータコアネットワーク６５０とに結合されることができる。以下で論じられることになるように、各フェムトノード６１０は、関連するアクセス端末６２０（例えば、アクセス端末６２０Ａ）と、オプショナルに、他の（ハイブリッドまたは異質な）アクセス端末６２０（例えば、アクセス端末６２０Ｂ）とをサーブするように構成されていることができる。言い換えれば、フェムトノード６１０に対するアクセスは、制約されることができ、それによって与えられたアクセス端末６２０は、１セットの指定された（例えば、ホーム）フェムトノード６１０（単数または複数）によってサーブされることができるが、指定されていないどのようなフェムトノード６１０（例えば、隣のフェムトノード６１０）によってもサーブされることができない。
【００５９】
図７は、いくつかの追跡（トラッキング）エリア７０２（あるいは経路指定エリアまたはロケーションエリア）が定義されるカバレージマップ７００の一例を示しており、追跡エリアのおのおのは、いくつかのマクロカバレージエリア７０４を含んでいる。ここで、追跡エリア７０２Ａ、７０２Ｂ、および７０２Ｃに関連するカバレージのエリアは、幅広線によって示され、そしてマクロカバレージエリア７０４は、より大きな六角形によって表される。追跡エリア７０２はまた、フェムトカバレージエリア７０６を含んでいる。この例においては、フェムトカバレージエリア７０６（例えば、フェムトカバレージエリア７０６Ｃ）のおのおのは、１つまたは複数のマクロカバレージエリア７０４（例えば、マクロカバレージエリア７０４Ｂ）内に示される。しかしながら、フェムトカバレージエリア７０６の一部または全部は、マクロカバレージエリア７０４内に位置しなくてもよいことを理解すべきである。実際には、多数のフェムトカバレージエリア７０６は、与えられた追跡エリア７０２またはマクロカバレージエリア７０４を用いて定義されることができる。また、１つまたは複数のピコカバレージエリア（図示されず）は、与えられた追跡エリア７０２またはマクロカバレージエリア７０４の内部で定義されることができる。
【００６０】
図６を再び参照すると、フェムトノード６１０の所有者は、モバイルオペレータコアネットワーク６５０を通して提供される、例えば、３Ｇモバイルサービスなどのモバイルサービスに加入することができる。さらに、アクセス端末６２０は、マクロ環境と、より小さなスケールの（例えば、住居の）ネットワーク環境との両方において、動作することができるようにすることができる。言い換えれば、アクセス端末６２０の現在のロケーションに応じて、アクセス端末６２０は、モバイルオペレータコアネットワーク６５０に関連するマクロセルアクセスポイント６６０により、あるいは１セットのフェムトノード６１０（例えば、対応するユーザ住居６３０内に存在するフェムトノード６１０Ａおよび６１０Ｂ）のうちの任意の１つにより、サーブされることができる。例えば、加入者が、加入者の家の外にいるとき、加入者は、標準的なマクロアクセスポイント（例えば、アクセスポイント６６０）によってサーブされ、そして加入者が家にいるときには、加入者は、フェムトノード（例えば、ノード６１０Ａ）によってサーブされる。
【００６１】
フェムトノードは、いくつかの態様に制限されることができる。例えば、与えられたフェムトノードは、ある種のサービスをある種のアクセス端末に対して提供することができるだけである。いわゆる制限された（または閉ざされた）関連付けを有する展開においては、与えられたアクセス端末は、マクロセルモバイルネットワークと、定義された１セットのフェムトノード（例えば、対応するユーザ住居６３０内に存在するフェムトノード６１０）とによってサーブされることができるだけである。いくつかの実装においては、ノードは、少なくとも１つのノードについて、信号方式、データアクセス、登録、ページング、またはサービスのうちの少なくとも１つを提供しないように制限されることができる。
【００６２】
いくつかの態様において、制限されたフェムトノード（これは、閉ざされた加入者グループホームノードＢ(Closed Subscriber Group Home NodeB)と称されることもできる）は、制限され、用意された１セットのアクセス端末に対してサービスを提供するものである。このセットは、必要に応じて一時的に、あるいは恒久的に拡張されることができる。いくつかの態様においては、閉ざされた加入者グループ(Closed Subscriber Group)（「ＣＳＧ」）は、アクセス端末の共通のアクセス制御リストを共用するアクセスポイント（例えば、フェムトノード）のセットとして定義されることができる。
【００６３】
便宜上、ここにおける開示は、フェムトノードの場合についての様々な機能を説明している。しかしながら、ピコノードは、より大きなカバレージエリアについて同じまたは類似した機能を提供することができることを理解すべきである。例えば、ピコノードは、制限されることができ、ホームピコノードは、与えられたアクセス端末のために定義されることができるなどである。
【００６４】
ワイヤレス多元接続通信システムは、複数のワイヤレスアクセス端末についての通信を同時にサポートすることができる。各端末は、順方向リンクと逆方向リンクとの上の送信を経由して１つまたは複数のアクセスポイントと通信することができる。順方向リンク（またはダウンリンク）は、アクセスポイントから端末への通信リンクを意味し、そして逆方向リンク（またはアップリンク）は、端末からアクセスポイントへの通信リンクを意味する。この通信リンクは、単一入力単一出力システム、多入力多出力(multiple-in-multiple-out)（「ＭＩＭＯ」）システム、または何らかの他のタイプのシステムを経由して確立されることができる。
【００６５】
ＭＩＭＯシステムは、データ送信のために複数の（ＮT個の）送信アンテナと、複数の（ＮR個の）受信アンテナと、を使用する。ＮT個の送信アンテナと、ＮR個の受信アンテナとによって形成されるＭＩＭＯチャネルは、ＮS個の独立チャネルへと分解されることができ、これらの独立チャネルは、空間チャネルとも称され、ここで、ＮS≦ｍｉｎ｛ＮT，ＮR｝である。ＮS個の独立チャネルのおのおのは、次元(dimension)に対応する。複数の送信アンテナと受信アンテナとによって生成される追加の次元が、利用される場合、ＭＩＭＯシステムは、改善された性能（例えば、より高いスループットおよび／またはより大きな信頼性）を提供することができる。
【００６６】
ＭＩＭＯシステムは、時分割二重化(time division duplex)（「ＴＤＤ」）と、周波数分割二重化(frequency division duplex)（「ＦＤＤ」）とをサポートすることができる。ＴＤＤシステムにおいては、順方向リンク送信と逆方向リンク送信とは、同じ周波数領域上にあり、その結果、相反性原理は、逆方向リンクチャネルから順方向リンクチャネルの推定を可能にする。これは、複数のアンテナが、アクセスポイントにおいて使用可能であるときに、アクセスポイントが、順方向リンク上で送信ビーム形成利得を抽出することを可能にする。
【００６７】
ここにおける教示は、少なくとも１つの他のノードと通信するために様々なコンポーネントを使用するノード（例えば、デバイス）へと組み込まれることができる。図８は、ノードの間の通信を容易にするために使用されることができるいくつかの例のコンポーネントを示している。特に、図８は、ＭＩＭＯシステム８００のワイヤレスデバイス８１０（例えば、アクセスポイント）と、ワイヤレスデバイス８５０（例えば、アクセス端末）と、を示している。デバイス８１０において、いくつかのデータストリームについてのトラフィックデータは、データソース８１２から送信（「ＴＸ」）データプロセッサ８１４へと供給される。
【００６８】
いくつかの態様においては、各データストリームは、それぞれの送信アンテナ上で送信される。ＴＸデータプロセッサ８１４は、符号化されたデータを供給するそのデータストリームのために選択される特定の符号化スキームに基づいて各データストリームについてのトラフィックデータをフォーマットし、符号化し、そしてインターリーブする。
【００６９】
各データストリームについての符号化されたデータは、ＯＦＤＭ技法を使用してパイロットデータと多重化されることができる。パイロットデータは、一般的に、知られている方法で処理される知られているデータパターンであり、そしてチャネル応答を推定するためにレシーバシステムにおいて使用されることができる。次いで、各データストリームについての多重化されたパイロットデータと符号化データとは、変調シンボルを供給するそのデータストリームのために選択される特定の変調スキーム（例えば、ＢＰＳＫ、ＱＳＰＫ、Ｍ−ＰＳＫ、またはＭ−ＱＡＭ）に基づいて変調される（すなわち、シンボルマッピングされる）。各データストリームについてのデータレート、符号化、および変調は、プロセッサ８３０によって実行される命令によって決定されることができる。データメモリ８３２は、デバイス８１０のプロセッサ８３０または他のコンポーネントによって使用されるプログラムコード、データ、および他の情報を記憶することができる。
【００７０】
次いで、すべてのデータストリームについての変調シンボルは、ＴＸ  ＭＩＭＯプロセッサ８２０へと供給され、このＴＸ  ＭＩＭＯプロセッサは、さらに、変調シンボル（例えば、ＯＦＤＭについての）を処理することができる。次いで、ＴＸ  ＭＩＭＯプロセッサ８２０は、ＮT個の変調シンボルストリームをＮT個のトランシーバ（「ＸＣＶＲ」）８２２Ａないし８２２Ｔへと供給する。いくつかの態様においては、ＴＸ  ＭＩＭＯプロセッサ８２０は、データストリームのシンボルに対して、そしてシンボルが送信されているアンテナに対して、ビーム形成重みを適用する。
【００７１】
各トランシーバ８２２は、１つまたは複数のアナログ信号を供給するためにそれぞれのシンボルストリームを受信し、そして処理し、そしてさらに、ＭＩＭＯチャネル上で送信に適した被変調信号を供給するためにアナログ信号を調整する（例えば、増幅し、フィルタにかけ、そしてアップコンバートする）。次いで、トランシーバ８２２Ａないし８２２ＴからのＮT個の被変調信号は、それぞれＮT個のアンテナ８２４Ａないし８２４Ｔから送信される。
【００７２】
デバイス８５０において、送信された被変調信号は、ＮR個のアンテナ８５２Ａないし８５２Ｒによって受信され、そして各アンテナ８５２からの受信信号は、それぞれのトランシーバ（「ＸＣＶＲ」）８５４Ａないし８５４Ｒへと供給される。各トランシーバ８５４は、それぞれの受信信号を調整し（例えば、フィルタにかけ、増幅し、そしてダウンコンバートし）、サンプルを供給するために調整された信号をデジタル化し、そしてさらに、対応する「受信された」シンボルストリームを供給するためにサンプルを処理する。
【００７３】
次いで、受信（「ＲＸ」）データプロセッサ８６０は、ＮT個の「検出された」シンボルストリームを供給する特定のレシーバ処理技法に基づいてＮR個のトランシーバ８５４からのＮR個の受信シンボルストリームを受信し、そして処理する。次いで、ＲＸデータプロセッサ８６０は、データストリームについてのトラフィックデータを回復するために検出された各シンボルストリームを復調し、デインターリーブし、そして復号する。ＲＸデータプロセッサ８６０による処理は、デバイス８１０におけるＴＸ  ＭＩＭＯプロセッサ８２０と、ＴＸデータプロセッサ８１４とによって実行される処理に対して相補的である。
【００７４】
プロセッサ８７０は、どのプレコーディング行列(pre-coding matrix)を使用すべきかを定期的に決定する（下記で論じられる）。プロセッサ８７０は、行列インデックス部分とランク値部分とを備える逆方向リンクメッセージを定式化する。データメモリ８７２は、デバイス８５０のプロセッサ８７０または他のコンポーネントによって使用されるプログラムコード、データ、および他の情報を記憶することができる。
【００７５】
逆方向リンクメッセージは、通信リンクおよび／または受信データストリームに関する様々なタイプの情報を備えることができる。次いで、逆方向リンクメッセージは、やはりデータソース８３６からいくつかのデータストリームについてのトラフィックデータを受信するＴＸデータプロセッサ８３８によって処理され、変調器８８０によって変調され、トランシーバ８５４Ａないし８５４Ｒによって調整され、そしてデバイス８１０へと返信される。
【００７６】
デバイス８１０において、デバイス８５０からの被変調信号は、アンテナ８２４によって受信され、トランシーバ８２２によって調整され、復調器（「ＤＥＭＯＤ」）８４０によって復調され、そしてデバイス８５０によって送信される逆方向リンクメッセージを抽出するために、ＲＸデータプロセッサ８４２によって処理される。次いで、プロセッサ８３０は、ビーム形成重みを決定するためにどのプリコーディング行列を使用すべきかを決定し、次いで抽出されたメッセージを処理する。
【００７７】
図８はまた、通信コンポーネントが、ここにおいて教示されるように構成制御オペレーションを実行する１つまたは複数のコンポーネントを含むことができることも示している。例えば、構成（ＣＯＮＦＩＧ．）制御コンポーネント８９０は、ここにおいて教示されるように別のデバイス（例えば、デバイス８５０）へと／から信号を送信／受信するためにデバイス８１０のプロセッサ８３０および／または他のコンポーネントと協力することができる。同様に、構成制御コンポーネント８９２は、別のデバイス（例えば、デバイス８１０）へと／から信号を送信／受信するために、デバイス８５０のプロセッサ８７０および／または他のコンポーネントと協力することができる。各デバイス８１０および８５０について、説明されたコンポーネントのうちの２つ以上の機能は、単一のコンポーネントによって提供されることもできることを理解すべきである。例えば、単一の処理コンポーネントが、構成制御コンポーネント８９０の機能を提供することができ、そしてプロセッサ８３０と、単一の処理コンポーネントとが、構成制御コンポーネント８９２とプロセッサ８７０との機能を提供することができる。
【００７８】
ここにおける教示は、様々なタイプの通信システムおよび／またはシステムコンポーネントへと組み込まれることができる。いくつかの態様においては、ここにおける教示は、使用可能なシステムリソースを（例えば、１つまたは複数の帯域幅、送信パワー、符号化、インターリービングなどを指定することにより）共用することにより、複数のユーザとの通信をサポートすることができる多元接続システムの中で使用されることができる。例えば、ここにおける教示は、以下の技術：符号分割多元接続(Code Division Multiple Access)（「ＣＤＭＡ」）システム、マルチキャリア(Multiple-Carrier)ＣＤＭＡ（「ＭＣＣＤＭＡ」）、広帯域ＣＤＭＡ（「Ｗ−ＣＤＭＡ」）、高速パケットアクセス(High-Speed Packet Access)（「ＨＳＰＡ」、「ＨＳＰＡ＋」）システム、時分割多元接続(Time Division Multiple Access)（「ＴＤＭＡ」）システム、周波数分割多元接続(Frequency Division Multiple Access)（「ＦＤＭＡ」）システム、単一キャリア(Single-Carrier)ＦＤＭＡ（「ＳＣ−ＦＤＭＡ」）システム、直交周波数分割多元接続(Orthogonal Frequency Division Multiple Access)（「ＯＦＤＭＡ」）システム、または他の多元接続技法、のうちの任意の１つ、またはそれらの技術の組合せに対して適用されることができる。ここにおける教示を使用したワイヤレス通信システムは、ＩＳ−９５規格、ｃｄｍａ２０００規格、ＩＳ−８５６規格、Ｗ−ＣＤＭＡ規格、ＴＤＳＣＤＭＡ規格、他の規格など、１つまたは複数の規格を実装するように設計されることができる。ＣＤＭＡネットワークは、ユニバーサル地上無線アクセス(Universal Terrestrial Radio Access)（「ＵＴＲＡ」）、ｃｄｍａ２０００、何らかの他の技術などの無線技術を実装することができる。ＵＴＲＡは、Ｗ−ＣＤＭＡと、低チップレート(Low Chip Rate)（「ＬＣＲ」）とを含む。ｃｄｍａ２０００技術は、ＩＳ−２０００規格と、ＩＳ−９５規格と、ＩＳ−８５６規格とをカバーする。ＴＤＭＡネットワークは、移動通信用グローバルシステム(Global System for Mobile Communication)（「ＧＳＭ（登録商標）」）などの無線技術を実装することができる。ＯＦＤＭＡネットワークは、進化型ＵＴＲＡ(Evolved UTRA)（「Ｅ−ＵＴＲＡ」）、ＩＥＥＥ８０２．１１、ＩＥＥＥ８０２．１６、ＩＥＥＥ８０２．２０、フラッシュ−ＯＦＤＭ(Flash-OFDM)（登録商標）などの無線技術を実装することができる。ＵＴＲＡと、Ｅ−ＵＴＲＡと、ＧＳＭとは、ユニバーサル移動通信システム(Universal Mobile Telecommunication System)（「ＵＭＴＳ」）の一部分である。ここにおける教示は、３ＧＰＰロングタームエボリューション(3GPP Long Term Evolution)（「ＬＴＥ」）システムと、ウルトラモバイルブロードバンド(Ultra-Mobile Broadband)（「ＵＭＢ」）システムと、他のタイプのシステムとの中に実装されることができる。ＬＴＥは、Ｅ−ＵＴＲＡを使用するＵＭＴＳのリリース(release)である。本開示のある種の態様は、３ＧＰＰの専門用語を使用して説明されることができるが、ここにおける教示は、３ＧＰＰ（Ｒｅｌ９９、Ｒｅｌ５、Ｒｅｌ６、Ｒｅｌ７）技術、ならびに３ＧＰＰ２（ＩｘＲＴＴ、１ｘＥＶ−ＤＯ  ＲｅｌＯ、ＲｅｖＡ、ＲｅｖＢ）技術、および他の技術に対して適用されることができることを理解すべきである。
【００７９】
ここにおける教示は、様々の装置（例えば、ノード）へと組み込まれる（例えば、内部に実装され、またはそれによって実行される）ことができる。いくつかの態様においては、ここにおける教示に従って実装されるノード（例えば、ワイヤレスノード）は、アクセスポイントまたはアクセス端末を備えることができる。
【００８０】
例えば、アクセス端末は、ユーザ装置、加入者局、加入者ユニット、移動局、モバイル、モバイルノード、リモート局、リモート端末、ユーザ端末、ユーザエージェント、ユーザデバイス、または何らかの他の専門用語、を備え、それらとして実装され、あるいはそれらとして知られていることができる。いくつかのインプリメンテーションにおいては、アクセス端末は、セルラ電話、コードレス電話、セッション開始プロトコル(session initiation protocol)（「ＳＩＰ」）電話、ワイヤレスローカルループ(wireless local loop)（「ＷＬＬ」）局、携帯型個人情報端末(personal digital assistant)（「ＰＤＡ」）、ワイヤレス接続機能を有するハンドヘルドデバイス、あるいはワイヤレスモデムに接続された何らかの他の適切な処理デバイス、を備えることができる。したがって、ここにおいて教示される１つまたは複数の態様は、電話（例えば、セルラ電話またはスマートフォン）、コンピュータ（例えば、ラップトップ）、ポータブル通信デバイス、ポータブルコンピューティングデバイス（例えば、パーソナルデータアシスタント(personal data assistant)）、娯楽デバイス（例えば、音楽デバイス、ビデオデバイス、または衛星無線）、全地球測位システムデバイス(global positioning system device)、あるいはワイヤレス媒体を経由して通信するように構成された他の適切な任意のデバイス、へと組み込まれることができる。
【００８１】
アクセスポイントは、ノードＢ、ｅＮｏｄｅＢ、無線ネットワークコントローラ(radio network controller)（「ＲＮＣ」）、基地局(base station)（「ＢＳ」）、無線基地局(radio base station)（「ＲＢＳ」）、基地局コントローラ(base station controller)（「ＢＳＣ」）、基地トランシーバ局(base transceiver station)（「ＢＴＳ」）、トランシーバ機能(transceiver function)（「ＴＦ」）、無線トランシーバ、無線ルータ、基本サービスセット(basic service set)（「ＢＳＳ」）、拡張サービスセット(extended service set)（「ＥＳＳ」）、マクロセル、マクロノード、ホームｅＮＢ(Home eNB)（「ＨｅＮＢ」）、フェムトセル、フェムトノード、ピコノード、または何らかの他の類似した専門用語、を備え、それらとして実装され、あるいはそれらとして知られていることができる。
【００８２】
いくつかの態様においては、ノード（例えば、アクセスポイント）は、通信システムのためのアクセスノードを備えることができる。そのようなアクセスノードは、例えば、ネットワークに対する有線またはワイヤレスの通信リンクを経由してネットワーク（例えば、インターネットやセルラネットワークなどの広域ネットワーク）についての、あるいはそれに対する接続性を提供することができる。したがって、アクセスノードは、別のノード（例えば、アクセス端末）が、ネットワークまたは何らかの他の機能にアクセスすることを可能にすることができる。さらに、それらのノードのうちの一方または両方はポータブルであり、あるいはいくつかの場合には、比較的ポータブルでないとすることができることを理解すべきである。
【００８３】
また、ワイヤレスノードが、ワイヤレスでない方法で（例えば、有線接続を経由して）情報を送信すること、および／または受信すること、を可能とすることができることを理解すべきである。それ故に、ここにおいて論じられるようなレシーバとトランスミッタとは、ワイヤレスでない媒体を経由して通信する適切な通信インターフェースコンポーネント（例えば、電気または光のインターフェースコンポーネント）を含むことができる。
【００８４】
ワイヤレスノードは、適切な任意のワイヤレス通信技術に基づいている、あるいはそうでなければその技術をサポートする、１つまたは複数のワイヤレス通信リンクを経由して通信することができる。例えば、いくつかの態様においては、ワイヤレスノードは、ネットワークに関連づけることができる。いくつかの態様においては、ネットワークは、ローカルエリアネットワーク、または広域ネットワークを備えることができる。ワイヤレスデバイスは、ここにおいて論じられるもの（例えば、ＣＤＭＡ、ＴＤＭＡ、ＯＦＤＭ、ＯＦＤＭＡ、ＷｉＭＡＸ、Ｗｉ−Ｆｉなど）など、様々なワイヤレス通信の技術、プロトコル、または規格のうちの１つまたは複数をサポートする、あるいはそうでなければ使用することができる。同様に、ワイヤレスノードは、様々な対応する変調スキームまたは多重化スキームのうちの１つまたは複数をサポートする、あるいはそうでなければ使用することができる。ワイヤレスノードは、それ故に、上記または他のワイヤレス通信技術を使用した１つまたは複数のワイヤレス通信リンクを経由して確立し、そして通信する適切なコンポーネント（例えば、エアインターフェース）を含むことができる。例えば、ワイヤレスノードは、ワイヤレス媒体上の通信を容易にする様々なコンポーネント（例えば、信号ジェネレータと信号プロセッサと）を含むことができる関連するトランスミッタコンポーネントとレシーバコンポーネントとを有するワイヤレストランシーバを備えることができる。
【００８５】
ここにおいて説明される機能（例えば、添付図面のうちの１つまたは複数に関する）は、いくつかの態様においては、添付の特許請求の範囲の中の、同様に指定された機能「手段」("means for" functionality)に対応することができる。図９および１０を参照すると、装置９００および１０００は、一連の相互に関連した機能モジュールとして表される。ここでパラメータ値のセットの受信モジュール９０２は、少なくともいくつかの態様において、例えば、ここにおいて論じられるような通信コントローラに対応することができる。パラメータ値のセットの選択モジュール９０４は、少なくともいくつかの態様において、例えば、ここにおいて論じられるようなパラメータセレクタに対応することができる。ネットワーク要素構成モジュール９０６は、少なくともいくつかの態様において、例えば、ここにおいて論じられるような構成エンティティに対応することができる。パラメータ値のセットの決定モジュール１００２は、少なくともいくつかの態様において、例えば、ここにおいて論じられるような構成マネージャに対応することができる。決定されたセットの送信モジュール１００４は、少なくともいくつかの態様において、例えば、ここにおいて論じられるような通信コントローラに対応することができる。
【００８６】
図９および１０のモジュールの機能は、ここにおける教示と整合した様々なやり方で実装されることができる。いくつかの態様においては、これらのモジュールの機能は、１つまたは複数の電気コンポーネントとして実装されることができる。いくつかの態様においては、これらのブロックの機能は、１つまたは複数のプロセッサコンポーネントを含む処理システムとして実装されることができる。いくつかの態様においては、これらのモジュールの機能は、例えば、１つまたは複数の集積回路（例えば、ＡＳＩＣ）の少なくとも一部分を使用して実装されることができる。ここにおいて論じられるように、集積回路は、プロセッサ、ソフトウェア、他の関連したコンポーネント、またはそれらの何らかの組合せを含むことができる。これらのモジュールの機能は、ここにおいて教示されるように何らかの他の方法で実装されることもできる。
【００８７】
「第１の」や「第２の」などの指定を使用したここにおける要素についてのどのような言及も、一般にこれらの要素の量または順序を限定してはいないことを理解すべきである。もっと正確に言えば、これらの指定は、２つ以上の要素、または要素の例の間で区別する便利な方法として、ここにおいて、使用されることができる。したがって、第１および第２の要素に対する言及は、２つの要素だけが、そこで使用されることができること、または第１の要素が、何らかの方法で第２の要素に先行する必要があること、を意味してはいない。また、別の方法で述べられていない限り、要素のセットは、１つまたは複数の要素を備えることができる。さらに、明細書、または特許請求の範囲の中で使用される「Ａ、Ｂ、またはＣのうちの少なくとも１つ(at least one of: A, B, or C)」という形式の述語は、「ＡまたはＢまたはＣ、あるいはこれらの要素の任意の組合せ」を意味する。
【００８８】
当業者(Those of skill in the art)は、情報および信号は、様々な異なる技術および技法のうちのどれを使用しても表されることができることを理解するであろう。例えば、上記説明全体を通して参照されることができるデータ、命令、コマンド、情報、信号、ビット、シンボル、およびチップは、電圧、電流、電磁波、磁気の場または粒子、光学的な場または粒子、あるいはそれらの任意の組合せによって表されることができる。
【００８９】
当業者(Those of skill)は、さらに、ここにおいて開示される態様に関連して説明される様々な例示の論理ブロック、モジュール、プロセッサ、手段、回路、およびアルゴリズムステップのどれもが、電子ハードウェア（例えば、ソースコーディング技法または何らかの他の技法を使用して設計されることができるデジタルインプリメンテーション、アナログインプリメンテーション、またはそれら２つの組合せ）、命令を組み込んだ様々な形態のプログラムまたは設計コード（これは、ここにおいて、便宜上、「ソフトウェア」または「ソフトウェアモジュール」と称されることができる）、あるいは両方の組合せとして実装されることができることを理解するであろう。ハードウェアとソフトウェアとのこの交換可能性を明確に示すために、様々な例示のコンポーネント、ブロック、モジュール、回路、およびステップが、それらの機能の観点で上記に一般的に説明されている。そのような機能が、ハードウェアとして実装されるか、またはソフトウェアとして実装されるかは、特定のアプリケーションと、全体的なシステムに課される設計制約条件とに依存する。当業者(Skilled artisans)は、特定の各アプリケーションについて変化するやり方で、説明された機能を実装することができるが、そのようなインプリメンテーションの決定は、本開示の範囲からの逸脱(departure)を引き起こすものとしては解釈されるべきではない。
【００９０】
ここにおいて開示される態様に関連して説明される様々な例示の論理ブロック、モジュール、および回路は、集積回路(integrated circuit)（「ＩＣ」）、アクセス端末、またはアクセスポイントの内部に実装され、あるいはそれらによって実行されることができる。ＩＣは、汎用プロセッサ、デジタル信号プロセッサ(digital signal processor)（ＤＳＰ）、特定用途向け集積回路(application specific integrated circuit)（ＡＳＩＣ）、フィールドプログラマブルゲートアレイ(field programmable gate array)（ＦＰＧＡ）または他のプログラマブルロジックデバイス、ディスクリートなゲートまたはトランジスタのロジック、ディスクリートハードウェアコンポーネント(discrete hardware components)、電気コンポーネント、光コンポーネント、機械コンポーネント、あるいはここにおいて説明される機能を実行するように設計されたそれらの任意の組合せ、を備え、そしてＩＣの内部に、ＩＣの外部に、あるいは両方に存在するコードまたは命令を実行することができる。汎用プロセッサは、マイクロプロセッサであってもよいが、代替案においては、プロセッサは、従来の任意のプロセッサ、コントローラ、マイクロコントローラ、または状態機械であってもよい。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーション、として実装されることもできる。
【００９１】
どのような開示されたプロセスの中のステップのどのような特定の順序、または階層も、サンプルアプローチの一例であることが、理解される。設計の好みに基づいて、プロセスの中のステップの特定の順序、または階層は、本開示の範囲内にとどまりながら、再構成されることができることが、理解される。添付の方法の特許請求の範囲は、様々なステップの要素を一例の順序で提示しており、提示される特定の順序または階層だけに限定されるようには意味されてはいない。
【００９２】
１つまたは複数の例示の実施形態においては、説明される機能は、ハードウェア、ソフトウェア、ファームウェア、またはそれらの任意の組合せの形で実装されることができる。ソフトウェアの形で実装される場合、それらの機能は、コンピュータ可読媒体上に１つまたは複数の命令またはコードとして記憶され、あるいはその上で送信されることができる。コンピュータ可読媒体は、ある場所から別の場所へのコンピュータプログラムの転送を容易にする任意の媒体を含めて、コンピュータ記憶媒体と、通信媒体との両方を含んでいる。記憶媒体は、コンピュータによってアクセスされることができる使用可能な任意の媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態で望ましいプログラムコードを搬送し、または記憶するために使用されることができ、そしてコンピュータによってアクセスされることができる他の任意の媒体、を備えることができる。また、任意の接続も、コンピュータ可読媒体と適切に名づけられる。例えば、ソフトウェアが、同軸ケーブル、光ファイバケーブル、ツイストペア(twisted pair)、デジタル加入者回線(digital subscriber line)（ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義の中に含まれる。ここにおいて使用されるようなディスク(Disk)およびディスク(disc)は、コンパクトディスク（ＣＤ）、レーザーディスク(登録商標)、光ディスク(optical disc)、デジタル多用途ディスク(digital versatile disc)（ＤＶＤ）、フロッピー(登録商標)ディスク、およびブルーレイディスク(blu-ray disc)を含み、ここでディスク(disks)は通常、データを磁気的に再生するが、ディスク(discs)は、レーザを用いて光学的にデータを再生する。上記の組合せもまた
、コンピュータ可読媒体の範囲内に含められるべきである。コンピュータ可読媒体は、適切な任意のコンピュータプログラムプロダクトの中に実装されることができること、を理解すべきである。
【００９３】
開示された態様の以上の説明は、当業者が、本開示を作り、または使用することを可能にするために提供される。これらの態様に対する様々な修正は、当業者には簡単に明らかになり、そしてここにおいて定義される包括的な原理は、本開示の範囲を逸脱することなく、他の態様に対しても適用されることができる。したがって、本開示は、ここにおいて示される態様だけに限定されるようには意図されず、ここにおいて開示される原理および新規特徴と整合した最も広い範囲が与えられるべきである。
【図１】
2011527162.tif 000003
【図２】
2011527162.tif 000004
【図３】
2011527162.tif 000005
【図４】
2011527162.tif 000006
【図５】
2011527162.tif 000007
【図６】
2011527162.tif 000008
【図７】
2011527162.tif 000009
【図８】
2011527162.tif 000010
【図９】
2011527162.tif 000011
【図１０】
2011527162.tif 000012
【国際調査報告】
2011527162.tif 000013
2011527162.tif 000014
2011527162.tif 000015